(57)【要約】      （修正有）【課題】蛍光体の分散状態のばらつきが少ない発光装置の製造方法を提供する。【解決手段】複数の棚板を備えたマガジン１０を準備する工程と、発光素子が載置された凹部を備えたパッケージを複数備えた基板を準備する工程と、凹部内に蛍光体粒子を含む樹脂部材をポッティングする工程と、樹脂部材を含む基板を加熱し、樹脂部材を硬化する第１硬化工程と、第１硬化工程により硬化された樹脂部材を備える基板を、マガジンに複数枚収容する工程と、マガジンに収容された基板を第１硬化工程よりも高い温度で加熱して、樹脂部材を硬化する第２硬化工程と、を含む発光装置の製造方法。【選択図】図６
2017199771.tif 000002
【特許請求の範囲】
【請求項１】
複数の棚板を備えたマガジンを準備する工程と、
発光素子が載置された凹部を備えたパッケージを複数備えた基板を準備する工程と、
前記凹部内に、蛍光体粒子を含む樹脂部材をポッティングする工程と、
前記樹脂部材を含む基板を加熱し、前記樹脂部材を硬化する第１硬化工程と、
前記第１硬化工程により硬化された前記樹脂部材を備える前記基板を、前記マガジンに複数枚収容する工程と、
前記マガジンに収容された前記基板を前記第１硬化工程よりも高い温度で加熱して、前記樹脂部材を硬化する第２硬化工程と、
を含む発光装置の製造方法。
【請求項２】
前記第１硬化工程の加熱温度は、１５０℃以下である請求項１記載の発光装置の製造方法。
【請求項３】
前記樹脂部材は、シリコーン樹脂組成物を含む請求項１又は請求項２に記載の発光装置の製造方法。
【請求項４】
前記蛍光体は、前記樹脂部材中に１重量部〜２００重量部含まれる請求項１〜請求項３のいずれか１項に記載の発光装置の製造方法。
【発明の詳細な説明】
【技術分野】
【０００１】
本発明は、発光装置の製造方法に関する。
【背景技術】
【０００２】
半導体発光素子（以下、「発光素子」とも称する）と、粒子状の蛍光体とを用いたＬＥＤ（Ｌｉｇｈｔ  Ｅｍｉｔｔｉｎｇ  Ｄｉｏｄｅ）などの発光装置が知られている。
【０００３】
このような発光装置の製造方法としては、蛍光体を液状の樹脂に混合させた液状樹脂をポッティングする方法が知られている（例えば特許文献１）。
【先行技術文献】
【特許文献】
【０００４】
【特許文献１】ＷＯ２０１２／１４７６１１号公報
【発明の概要】
【発明が解決しようとする課題】
【０００５】
蛍光体の種類や、樹脂の種類によっては、蛍光体入り樹脂部材を発光素子上にポッティングしたあと加熱するまでの間に、蛍光体が樹脂部材で沈降する場合がある。そのため、蛍光体の分散状態にばらつきが生じる場合がある。
【課題を解決するための手段】
【０００６】
本開示は、以下の構成を含む。
複数の棚板を備えたマガジンを準備する工程と、発光素子が載置された凹部を備えたパッケージを複数備えた基板を準備する工程と、凹部内に蛍光体粒子を含む樹脂部材をポッティングする工程と、樹脂部材を含む基板を加熱し、樹脂部材を硬化する第１硬化工程と、第１硬化工程により硬化された樹脂部材を備える基板を、マガジンに複数枚収容する工程と、マガジンに収容された基板を第１硬化工程よりも高い温度で加熱して、樹脂部材を硬化する第２硬化工程と、を含む発光装置の製造方法。
【発明の効果】
【０００７】
以上により、蛍光体の分散状態のばらつきを低減することができる。
【図面の簡単な説明】
【０００８】
【図１】図１は、本実施形態に係るマガジンを示す概略斜視図である。
【図２Ａ】図２Ａは、本実施形態に係る基板を示す概略斜視図である。
【図２Ｂ】図２Ｂは、図２Ａの部分拡大上面図である。
【図３】図３は、本実施形態に係る発光装置の製造方法を示す概略断面図である。
【図４】図４は、本実施形態に係る発光装置の製造方法を示す概略図である。
【図５】図５は、本実施形態に係る発光装置の製造方法を示す概略図である。
【図６】図６は、本実施形態に係る発光装置の製造方法を示す概略図である。
【発明を実施するための形態】
【０００９】
本発明を実施するための形態を、以下に図面を参照しながら説明する。ただし、以下に示す形態は、本発明の技術思想を具体化するための発光装置の製造方法を例示するものであって、本発明は、発光装置の製造方法を以下に限定するものではない。
【００１０】
また、本明細書は、特許請求の範囲に示される部材を、実施の形態の部材に特定するものでは決してない。特に、実施の形態に記載されている構成部品の寸法、材質、形状、その相対的配置等は、特定的な記載がない限りは、本開示の範囲をそれのみに限定する趣旨ではなく、単なる説明例にすぎない。尚、各図面が示す部材の大きさや位置関係等は、説明を明確にするため誇張していることがある。さらに以下の説明において、同一の名称、符号については同一もしくは同質の部材を示しており、詳細説明を適宜省略する。また、導電部材及び支持体を含むパッケージ、及びパッケージを含む発光装置は、工程内ではこれらの集合体で用いられている。集合体の個片化前後において、同じ名称を用いて説明することがある。
【００１１】
＜マガジンを準備する工程＞
複数の棚板１４を備えたマガジンを準備する。図１は、マガジン１０の一例である。マガジン１０は複数の基板を収容可能な部材である。
【００１２】
マガジン１０は長方形の天板１２と、天板１２と同様の長方形の底板１１と、天板１２と底板１１とを接続する２つの側板１３と、を備える。マガジン１０の２つの側面は側板がなく開口されており、この開口から基板を出し入れすることができる。
【００１３】
＜発光素子が載置された基板を準備する工程＞
発光素子が載置された基板を準備する。図２Ａ、図２Ｂに示す基板１００は、支持体１０３と、導電部材１０２と、を備えたパッケージ１０１を複数備えている。１枚の基板には、複数のパッケージを備えており、複数の発光装置を得ることができる。図２では、複数のパッケージ分が一体成型された支持体１０３として成形樹脂からなる支持体１０３を例示している。支持体１０３は、１枚の基板１００に２つ形成されており、さらに各支持体１０３は複数の凹部１０４を備えている。しかし、このような形態に限らず、パッケージごとに分離した支持体としてもよい。
【００１４】
パッケージ１０１には凹部１０４が備えられており、複数の凹部１０４が複数列及び複数行に配置されている。各凹部１０４は、その底面に一対の導電部材（リード）１０２が露出されている。１つの凹部１０４には、少なくとも１つの発光素子１０５が載置されている。各発光素子１０５は接合部材を用いて固定されている。各発光素子１０５は、ワイヤ１０６を用いてリード１０２と電気的に接続されている。尚、ワイヤ１０６を用いず、導電性の接合部材を用いて発光素子１０５をリード１０２上に固定してもよい。また、凹部１０４内には、発光素子の他に、ツェナーダイオードなどの保護素子を載置してもよい。
【００１５】
＜蛍光体粒子を含む樹脂部材をポッティングする工程＞
ポッティング装置の載置台に基板１００を載置する。図３（ａ）は、図２に示した基板１００の概略断面図を示す。ポッティング装置は、蛍光体を含む液状の樹脂部材が充填されたシリンジと、シリンジに接続されるディスペンスノズルと、を備える。シリンジ内を加圧することで、図３（ｂ）に示すように、ディスペンスノズル１１１の先端から樹脂部材１１０が吐出される。吐出された樹脂部材１１０は、基板１００の各凹部１０４内にポッティングされ、凹部１０４内の発光素子１０５及びワイヤ１０６を埋設する。複数の凹部１０４に樹脂部材１１０をポッティングすることで、図３（ｃ）に示すような樹脂部材１１０を含む基板１００Ａが得られる。
【００１６】
＜第１硬化工程＞
次に、図４に示すように、樹脂部材をポッティングした後の基板１００Ａを、ヒーターを備えた加温装置１１２内に移動し、加熱する。加温装置への移動は、樹脂部材をポッティング完了後、例えば、３０分以内に行う。第１硬化工程における加熱温度は、１５０℃以下、１分間〜１時間程度加熱する。この第１硬化工程により、樹脂部材１１０が硬化される。尚、ここで「硬化」は、蛍光体が沈まない程度に硬化又は高粘度化することを含む。尚、蛍光体の比重や粒径に応じて、加熱条件を適宜変更することができる。
【００１７】
＜マガジンに基板を収容する工程＞
次に、図５に示すように、第１硬化工程により硬化された樹脂部材を備える基板１００Ａを、前述のマガジン１０に順次収容する。マガジン１０は複数の棚板を備えているため、次の工程に移るまでの待機時間は、基板によって異なる。例えば、一番上の棚板の上に載置する基板１００Ａと、一番下の棚板に載置する基板１００Ａとでは、待機時間が１０分〜１時間程度と差がある場合がある。しかしながら、このように異なる待機時間であったとしても、第１硬化工程を経ることで樹脂部材が硬化されているため、蛍光体が時間経過によって沈降しにくい。そのため、蛍光体の分散状態が基板によってばらつきにくい。
【００１８】
＜第２硬化工程＞
マガジン１０内に複数枚の基板１００Ａを収容した後、マガジン１０ごと加温装置１１２内に移動し、マガジンに収容された基板１００Ａを加熱する。この第２硬化工程では、第１硬化工程よりも高い温度で加熱する。これにより、樹脂部材１１０が硬化される。
【００１９】
上述のように蛍光体を含む樹脂部材を２段階で硬化することで、蛍光体の分散状態が基板ごとにばらつくことを低減することができる。
以下、各部材について詳説する。
【００２０】
＜マガジン＞
マガジンは、天板と底板と、複数の棚板を備えた側板と、を備えた筐体である。天板と底板とは、左右の２つの側板によって接合されており、これらで囲まれた領域に、基板を収容可能な空間を備える。側板のない側面は基板を出し入れ可能なように開口している。また、収容した基板が飛び出さないよう、ストッパーを備えていてもよい。
【００２１】
天板と底板と側板とは、一体又は別体とすることができる。また、２つの側板は、その内壁に一体又は別体で形成される複数の棚板を備えており、各棚板は、一方の開口から他方の開口に向けて延伸するように設けられている。基板の大きさ等によっては、棚板が連続する１つ又は２以上に分割されていてもよい。１つの棚板とその上下に設けられる棚板とは、収容する基板の高さ等に応じて一定の間隔を空けて配置される。また、棚板は、基板の底面の一部を載置可能なように、対向する内壁における各棚板が同じ高さとなるように配置されている。
【００２２】
マガジンを構成する部材としては、後述の第２硬化工程の加熱温度に対して耐熱性があり、変形しにくい部材が好ましい。例えば、ステンレス、アルミニウムなどの金属部材が挙げられる。マガジンの大きさ、棚板の数等については、収容する基板の大きさ等に応じて適宜選択できる。
【００２３】
＜基板＞
基板は、凹部を備えたパッケージを複数備える。換言すると、基板はパッケージの集合体である。１つのパッケージは、１又は複数の凹部を備えていてもよい。凹部は、その底面に正負一対の電極となる導電部材を少なくとも２つ備える。一対の導電部材は、絶縁性の支持体によって一体的に保持されている。
【００２４】
パッケージは、導電部材としてリードを備え、支持体として樹脂部材を備えた樹脂パッケージを用いることができる。また、パッケージは、支持体としてセラミックを用い、導電部材として配線部材を備えたセラミックパッケージを用いることができる。また、パッケージは、支持体としてガラスエポキシを用い、導電部材として配線部材を備えたガラスエポキシパッケージを用いることができる。このような支持体を備えるパッケージは、支持体と導電部材と、で凹部が構成される。あるいは、パッケージは、金属又はセラミック等の支持体の上面に、導電部材を備えた基板上に、描画、貼り合わせ、成形などによって形成した枠体を備えたＣＯＢ（Ｃｈｉｐ  ｏｎ  Ｂｏａｒｄ）パッケージを用いることができる。ＣＯＢパッケージは、支持体と導電部材とを含む基板と、枠体と、で凹部が構成される。
【００２５】
また、支持体を備えない基板としてもよい。すなわち、一対の導電部材のうち、一方の導電部材が凹部を備える基板を用いることもできる。
【００２６】
以上に挙げた樹脂パッケージ、セラミックパッケージ、ガラスエポキシパッケージ、ＣＯＢパッケージに用いられる材料は、公知のものを用いることができる。また、凹部の形状、大きさ、深さ等については、目的や用途に応じて種々選択することができる。
【００２７】
発光素子は、素子基板上に積層された、発光層を含む半導体層から構成される。半導体層を構成するｐ層、発光層、ｎ層としては、特に限定されるものではなく、例えば、ＩｎＸＡｌＹＧａ１−Ｘ−ＹＮ（０≦Ｘ、０≦Ｙ、Ｘ＋Ｙ≦１）等の窒化物系化合物半導体が好適に用いられる。これらの窒化物半導体層は、それぞれ単層構造でもよいが、組成及び膜厚等の異なる層の積層構造、超格子構造等であってもよい。特に、発光層は、量子効果が生ずる薄膜を積層した単一量子井戸又は多重量子井戸構造であることが好ましい。
【００２８】
発光素子が有する一対の電極は、半導体層の同一面側に配置されている。これらの一対の電極は、上述した第１半導体層及び第２半導体層と、それぞれ、電流−電圧特性が直線又は略直線となるようなオーミック接続されるものであれば、単層構造でもよいし、積層構造でもよい。このような電極は、当該分野で公知の材料及び構成で、任意の厚みで形成することができる。例えば、十数μｍ〜３００μｍが好ましい。
【００２９】
＜樹脂部材＞
樹脂部材は、透光性の樹脂と、蛍光体粒子と、を含む。樹脂部材は、発光素子、保護素子、ワイヤなど、パッケージに実装される電子部品を、塵芥、水分、外力などから保護する部材である。封止部材の材料としては、発光素子からの光を透過可能な透光性を有し、且つ、それらによって劣化しにくい耐光性を有するものが好ましい。
【００３０】
透光性の樹脂の具体的な材料としては、シリコーン樹脂組成物、変性シリコーン樹脂組成物、エポキシ樹脂組成物、変性エポキシ樹脂組成物、アクリル樹脂組成物等の、発光素子からの光を透過可能な透光性を有する絶縁樹脂組成物を挙げることができる。また、シリコーン樹脂、エポキシ樹脂、ユリア樹脂、フッ素樹脂及びこれらの樹脂を少なくとも１種以上含むハイブリッド樹脂等も用いることができる。
【００３１】
蛍光体は粒子状であり、蛍光体の形状は、特に限定されないが、例えば、球形又はこれに類似する形状であることが好ましい。蛍光体は、例えば、平均粒径が３μｍ〜３０μｍ程度の粒子である。ここで、平均粒径は、Ｄ５０により定義することができる。また、蛍光体の平均粒径は、例えば、レーザ回折散乱法、画像解析法（走査型電子顕微鏡（ＳＥＭ）、透過型電子顕微鏡（ＴＥＭ））などにより測定することができる。レーザ回折散乱法の粒径測定装置は、例えば島津製作所社製のＳＡＬＤシリーズ（例えばＳＡＬＤ−３１００）を用いることができる。画像解析法は、例えばＪＩＳ−Ｚ８８２７−１：２００８に準ずる。
【００３２】
蛍光体としては、例えば、酸化物系、硫化物系、窒化物系の蛍光体などが挙げられる。例えば、発光素子として青色発光する窒化ガリウム系発光素子を用いる場合、青色光を吸収して黄色〜緑色系発光するＹＡＧ系、ＬＡＧ系、緑色発光するＳｉＡｌＯＮ系（βサイアロン）、ＳＧＳ蛍光体、青色発光するＢＡＭ蛍光体、赤色発光するＳＣＡＳＮ、ＣＡＳＮ系、マンガンで賦活されたフッ化珪酸カリウム（ＫＳＦ系蛍光体；Ｋ２ＳｉＦ６：Ｍｎ）、硫化物系蛍光体等の蛍光体の単独又は組み合わせが挙げられる。
【００３３】
蛍光体は、例えば、樹脂部材中に１重量部〜２００重量部含まれる。また、このような材料に加え、所望に応じて着色剤、光拡散剤、光反射材、各種フィラー、などを含有させることもできる。樹脂部材の充填量は、上記電子部品が被覆される量であればよい。
【産業上の利用可能性】
【００３４】
本開示に係る発光装置の製造方法は、照明用光源、各種インジケーター用光源、車載用光源、ディスプレイ用光源、液晶のバックライト用光源、センサー用光源、信号機等、種々の発光装置に使用することができる。
【符号の説明】
【００３５】
１０…マガジン
１１…底板
１２…天板
１３…側板
１４…棚板
１００、１００Ａ…基板
１０１…パッケージ
１０２…導電部材（リード）
１０３…支持体（成形樹脂）
１０４…凹部
１０５…発光素子
１０６…ワイヤ
１１０…樹脂部材
１１１…ディスペンスノズル
１１２…加温装置
【図１】
2017199771.tif 000003
【図２Ａ】
2017199771.tif 000004
【図２Ｂ】
2017199771.tif 000005
【図３】
2017199771.tif 000006
【図４】
2017199771.tif 000007
【図５】
2017199771.tif 000008
【図６】
2017199771.tif 000009